(57)【要約】【課題】自動的に紛失場所である位置を通知する移動端末を提供することである。【解決手段】移動端末１０のバッテリが、メインバッテリから補助バッテリに切り換えられると、振動検出部１４は、移動端末１０の振動の検出を開始する。所定時間経過しても振動が検出されなかった場合、制御部１５は、移動端末１０が「紛失」状態であると判別する。従って、ＧＰＳ受信部１２は、複数のＧＰＳ衛星から送信される信号を受信して移動端末１０の位置（緯度／経度）を測定し、位置情報を生成する。そして、生成した位置情報を制御部１５に供給する。制御部１５は、供給された位置情報等に従って、移動端末１０の位置を通知する旨の電子メールを作成する。そして、通信ネットワーク１００を介して、移動端末１０の位置を通知する旨の電子メールを端末２０に送信する。【選択図】　図１
2004023573.tif 000002
【特許請求の範囲】
【請求項１】
移動端末の振動を検出する振動検出手段と、
所定値まで電圧が低下した後の所定時間中に、前記振動検出手段が振動を検出したか否かを判別する判別手段と、
前記判別手段が振動を検出しなかった場合に、移動端末の現在位置を示す位置情報を含む紛失通知情報を生成し、生成した紛失通知情報を送信する送信手段と、
を備えることを特徴とする移動端末。
【請求項２】
ＧＰＳ衛星から送信される信号を受信して移動端末の位置を測定し、移動端末の現在位置を示す位置情報を生成する位置情報生成手段を更に備え、
前記送信手段は、前記位置情報生成手段が生成した位置情報を含む紛失通知情報を生成し、生成した紛失通知情報を所定の端末に送信する、
ことを特徴とする請求項１に記載の移動端末。
【請求項３】
前記送信手段は、前記判別手段が振動を検出しなかった場合に、移動端末の現在位置を示す位置情報を含む紛失通知情報を生成し、生成した紛失通知情報を、電子メールにて所定の端末に送信する、
ことを特徴とする請求項１又は２に記載の移動端末。
【請求項４】
移動端末の振動を検出する振動検出ステップと、
所定値まで電圧が低下した後の所定時間中に、前記振動検出ステップが振動を検出したか否かを判別する判別ステップと、
前記判別ステップが振動を検出しなかった場合に、移動端末の現在位置を示す位置情報を含む紛失通知情報を生成し、生成した紛失通知情報を送信する送信ステップと、
を備えることを特徴とする紛失通知方法。
【請求項５】
ＧＰＳ衛星から送信される信号を受信して移動端末の位置を測定し、移動端末の現在位置を示す位置情報を生成する位置情報生成ステップを更に備え、
前記送信ステップは、前記位置情報生成ステップが生成した位置情報を含む紛失通知情報を生成し、生成した紛失通知情報を所定の端末に送信する、
ことを特徴とする請求項４に記載の紛失通知方法。
【発明の詳細な説明】
【０００１】
【発明の属する技術分野】
本発明は、移動端末、及び、紛失通知方法に関する。
【０００２】
【従来の技術】
近年、携帯電話機等に代表される移動端末の普及に伴い、移動端末の紛失も増加している。
移動端末を紛失した場合、その移動端末の所有者は、例えば、紛失した移動端末に電話をかけて着信音等を鳴らし、その着信音等を手掛かりとして移動端末を探し出していた。
【０００３】
このような紛失した移動端末に電話をかけて探し出す方法では、移動端末の紛失場所が着信音等が聞こえない場所である場合に、着信音等を手掛かりとして移動端末を探し出すことができない。また、移動端末の紛失場所が人通りの少ない場所である場合には、紛失した移動端末の着信音等に気づき電話に応答してもらえる可能性が低く、紛失した移動端末のバッテリが切れていた場合には、電話をかけても着信しない。このため、紛失した移動端末を探し出す手掛かりを得ることができない。
結局、紛失した移動端末の所有者は、思い当たる移動端末の紛失場所に赴き、移動端末を探すこととなる。
【０００４】
【発明が解決しようとする課題】
しかしながら、思い当たる移動端末の紛失場所が複数ある場合には、移動端末の紛失場所（複数）に赴いて探し出すこととなる。このため、少なからぬ時間やコストがかかってしまい、効率が悪かった。
このような場合、複数思い当たる移動端末の紛失場所が１ヶ所に特定されれば、移動端末を効率よく探し出すことができる。
【０００５】
また、特開平１１−２３６９１号公報には、紛失場所の候補地となる位置を順次登録する技術が開示されている。しかしながら、この公報に開示された方法では、紛失した移動端末のバッテリが切れてしまった場合に、移動端末を探し出す手掛かり（紛失場所の候補地）を得ることができない。
【０００６】
本発明は、上記実情に鑑みてなされたもので、自動的に紛失場所である位置を通知することのできる移動端末、及び、紛失通知方法を提供することを目的とする。
【０００７】
【課題を解決するための手段】
上記目的を達成するため、本発明の第１の観点に係る移動端末は、
移動端末の振動を検出する振動検出手段と、
所定値まで電圧が低下した後の所定時間中に、前記振動検出手段が振動を検出したか否かを判別する判別手段と、
前記判別手段が振動を検出しなかった場合に、移動端末の現在位置を示す位置情報を含む紛失通知情報を生成し、生成した紛失通知情報を送信する送信手段と、
を備えることを特徴とする。
【０００８】
この発明によれば、振動検出手段は、移動端末の振動を検出する。判別手段は、所定値まで電圧が低下した後の所定時間中に、前記振動検出手段が振動を検出したか否かを判別する。送信手段は、判別手段が振動を検出しなかった（移動端末が紛失された）場合に、移動端末の現在位置を示す位置情報（紛失場所の位置）を含む紛失通知情報を生成し、生成した紛失通知情報を送信する。
この結果、移動端末は、自動的に紛失場所である位置を通知することができる。
【０００９】
ＧＰＳ衛星から送信される信号を受信して移動端末の位置を測定し、移動端末の現在位置を示す位置情報を生成する位置情報生成手段を更に備え、
前記送信手段は、前記位置情報生成手段が生成した位置情報を含む紛失通知情報を生成し、生成した紛失通知情報を所定の端末に送信してもよい。
【００１０】
前記送信手段は、前記判別手段が振動を検出しなかった場合に、移動端末の現在位置を示す位置情報を含む紛失通知情報を生成し、生成した紛失通知情報を、電子メールにて所定の端末に送信してもよい。
【００１１】
上記目的を達成するため、本発明の第２の観点に係る紛失通知方法は、
移動端末の振動を検出する振動検出ステップと、
所定値まで電圧が低下した後の所定時間中に、前記振動検出ステップが振動を検出したか否かを判別する判別ステップと、
前記判別ステップが振動を検出しなかった場合に、移動端末の現在位置を示す位置情報を含む紛失通知情報を生成し、生成した紛失通知情報を送信する送信ステップと、
を備えることを特徴とする。
【００１２】
この発明によれば、振動検出ステップは、移動端末の振動を検出する。判別ステップは、所定値まで電圧が低下した後の所定時間中に、振動検出ステップが振動を検出したか否かを判別する。送信ステップは、判別ステップが振動を検出しなかった（移動端末が紛失された）場合に、移動端末の現在位置を示す位置情報（紛失場所の位置）を含む紛失通知情報を生成し、生成した紛失通知情報を送信する。
この結果、移動端末は、自動的に紛失場所である位置を通知することができる。
【００１３】
ＧＰＳ衛星から送信される信号を受信して移動端末の位置を測定し、移動端末の現在位置を示す位置情報を生成する位置情報生成ステップを更に備え、
前記送信ステップは、前記位置情報生成ステップが生成した位置情報を含む紛失通知情報を生成し、生成した紛失通知情報を所定の端末に送信してもよい。
【００１４】
【発明の実施の形態】
本発明の実施の形態に係る移動端末について、以下図面を参照して説明する。
【００１５】
図１は、この実施の形態に係る移動端末を含むシステムの構成の一例を示すブロック図である。図示するように、このシステムは、移動端末１０と、端末２０と、これらを相互に接続するインターネット、移動体通信網等の通信ネットワーク１００と、から構成される。
【００１６】
移動端末１０は、例えば、携帯電話機、ＰＤＡ（Ｐｅｒｓｏｎａｌ　Ｄｉｇｉｔａｌ　Ａｓｓｉｓｔａｎｔｓ）等から構成され、通信ネットワーク１００に接続し、電子メールを送受信する。また、移動端末１０は、所定条件下において、後述する紛失通知処理を実行する。
移動端末１０は、図１に例示するように、送受信部１１と、ＧＰＳ受信部１２と、記憶部１３と、振動検出部１４と、制御部１５と、を備える。
【００１７】
送受信部１１は、制御部１５に制御され、通信ネットワーク１００を介して種々の情報を送受信する。
【００１８】
ＧＰＳ（Ｇｌｏｂａｌ　Ｐｏｓｉｔｉｏｎｉｎｇ　Ｓｙｓｔｅｍ）受信部１２は、例えば、ＧＰＳ受信ユニット等から構成される。
具体的に、ＧＰＳ受信部１２は、制御部１５に制御され、複数のＧＰＳ衛星から送信される信号を受信して移動端末１０の位置（緯度／経度）を測定する。そして、移動端末１０の現在位置を示す位置情報を生成し、生成した位置情報を制御部１５に供給する。
【００１９】
記憶部１３は、例えば、不揮発性のＲＡＭ（Ｒａｎｄｏｍ　Ａｃｃｅｓｓ　Ｍｅｍｏｒｙ）等から構成され、図２に例示するような紛失通知設定情報、紛失通知メッセージ等を記憶する。
【００２０】
図２に例示する紛失通知設定情報は、後述する紛失通知処理に関する情報であり、例えば、移動端末１０のユーザにより登録される。
紛失通知設定情報には、図２に例示するように、設定フラグ、振動検出時間、電子メールアドレス、端末識別名称等の情報が含まれる。
【００２１】
設定フラグは、後述する紛失通知処理を実行するか否かを示す情報であり、例えば、「有効」が登録されている場合、所定条件下において紛失通知処理が実行される。
振動検出時間は、振動検出部１４が振動を検出する時間を規定する情報である。
電子メールアドレスは、後述する紛失通知処理において送信される電子メールの宛先を示す情報である。
端末識別名称は、移動端末１０を識別するための情報であり、例えば、移動端末１０の電話番号、機種名等が登録される。
【００２２】
紛失通知メッセージは、後述する紛失通知処理において送信される電子メールの基礎となるテンプレート（ひな形）である。
【００２３】
振動検出部１４は、例えば、加速度センサ等から構成される。
具体的に、振動検出部１４は、制御部１５に制御され、移動端末１０の振動を検出する。そして、振動を検出した場合、その旨を制御部１５に通知する。
【００２４】
制御部１５は、例えば、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）等から構成され、移動端末１０全体を制御する。
制御部１５は、図示せぬタイマ回路等を制御し、時間を計測する。
制御部１５は、位置情報（緯度／経度）、端末識別名称等の情報と、記憶部１３に記憶された紛失通知メッセージとを合成し、電子メールを作成する。
【００２５】
具体的に、制御部１５は、図示せぬバッテリの電圧レベルを監視する。制御部１５は、例えば、メインバッテリ（不図示）の電圧レベルが電力供給を可能とする所定の限界値まで低下し、バッテリが、メインバッテリから補助バッテリ（不図示）に切り換えられた場合に、メインバッテリ（不図示）からその旨を通知される。制御部１５は、その通知に応答して、図２に例示する紛失通知設定情報の設定フラグを参照する。そして、設定フラグが「有効」である場合、ＲＯＭ等に予め記憶されたプログラムを読み出し、後述する紛失通知処理の実行を開始する。
【００２６】
なお、このような構成の移動端末１０は、図２に例示する紛失通知設定情報の設定フラグが「有効」である場合に、バッテリが、メインバッテリから補助バッテリに切り換えられると、移動端末１０の振動の検出を開始する。そして、所定時間経過しても振動が検出されなかった場合に、移動端末１０が「紛失」状態であると判別する。移動端末１０は、移動端末１０の位置（緯度／経度）を測定し、位置情報を生成する。移動端末１０は、生成した位置情報等に従って、移動端末１０の位置を通知する旨の電子メールを作成する。そして、通信ネットワーク１００を介して、移動端末１０の位置を通知する旨の電子メールを端末２０に送信する。
【００２７】
端末２０は、例えば、パーソナルコンピュータ等から構成され、送受信部、操作部、表示部、制御部等を備える。また、端末２０には、電子メールソフトウェアがインストールされている。
端末２０は、移動端末１０のユーザ等により操作され、例えば、通信ネットワーク１００に接続し、電子メールを送受信する。
【００２８】
以下、この発明の実施の形態に係る移動端末を含むシステムの動作について、図面を参照して説明する。
【００２９】
移動端末１０が実行する紛失通知処理について、記憶部１３に記憶される紛失通知設定情報が図２に示すように登録されている場合を例として説明する。
なお、図２に示す紛失通知設定情報に登録された電子メールアドレス「ｔａｎｍａｔｕ２０＠＊＊＊＊．ｎｅ．ｊｐ」の宛先は、端末２０である。
【００３０】
移動端末１０の制御部１５は、バッテリが、メインバッテリから補助バッテリに切り換えられると、メインバッテリ（不図示）からその旨を通知される。制御部１５は、この通知に応答して、図２に示す紛失通知設定情報の設定フラグを参照する。そして、設定フラグが「有効」であるため、図３のフローチャートに示す紛失通知処理を開始する。
【００３１】
まず、制御部１５は、図２に示す紛失通知設定情報を参照し、振動検出時間「１５分」を読み出す。そして、振動検出部１４に振動の検出を指示し、また、時間の計測を開始する。
振動検出部１４は、制御部１５の指示に従って、移動端末１０の振動の検出を開始する（ステップＳ１１）。
【００３２】
制御部１５は、振動検出部１４から振動の検出が通知されたか否かを判別する（ステップＳ１２）。
振動の検出が通知されなかった場合（ステップＳ１２；Ｎｏ）、制御部１５は、ステップＳ１３に処理を進める。
一方、振動の検出が通知された場合（ステップＳ１２；Ｙｅｓ）、制御部１５は、紛失通知処理を終了する。
【００３３】
制御部１５は、所定時間経過したか否かを判別する（ステップＳ１３）。すなわち、制御部１５は、上述のステップＳ１１にて計測を開始した時間が、読み出した振動検出時間「１５分」まで到達したか否かを判別する。
所定時間（振動検出時間「１５分」）経過した場合（ステップＳ１３；Ｙｅｓ）、制御部１５は、移動端末１０が「紛失」された状態であると判別し、ステップＳ１４に処理を進める。
一方、所定時間（振動検出時間「１５分」）経過していない場合（ステップＳ１３；Ｎｏ）、制御部１５は、ステップＳ１２に処理を戻す。
【００３４】
なお、上述のステップＳ１２、Ｓ１３の処理は、振動の検出が通知されるか、或いは、所定時間経過するまで、繰り返し実行される。
【００３５】
制御部１５は、ＧＰＳ受信部１２に、位置情報の生成を指示する。
ＧＰＳ受信部１２は、制御部１５の指示に従い、移動端末１０の位置（緯度／経度）を測定し、位置情報を生成する（ステップＳ１４）。そして、生成した位置情報を、制御部１５に供給する。
【００３６】
制御部１５は、図４に例示するような、移動端末１０の位置を通知する旨の電子メールを作成する（ステップＳ１５）。
例えば、制御部１５は、図２に示す紛失通知設定情報を参照し、端末識別名称「０９０−＊＊＊＊−＊＊＊＊」を読み出す。そして、読み出した端末識別名称「０９０−＊＊＊＊−＊＊＊＊」と、ＧＰＳ受信部１２から供給された位置情報「緯度：＊＊＊＊　緯度：＊＊＊＊」と、記憶部１３に予め記憶された紛失通知メッセージ（テンプレート）とを合成して、図４に例示する電子メールを作成する。
【００３７】
移動端末１０は、通信ネットワーク１００を介して、移動端末１０の位置を通知する旨の電子メールを端末２０に送信する（ステップＳ１６）。
例えば、制御部１５は、図２に示す紛失通知設定情報を参照し、電子メールアドレス「ｔａｎｍａｔｕ２０＠＊＊＊＊．ｎｅ．ｊｐ」を読み出す。そして、送受信部１１を制御し、読み出した電子メールアドレス（端末２０）に向けて上述のステップＳ１５にて作成した電子メールを送信し、紛失通知処理を終了する。
【００３８】
一方、端末２０は、通信ネットワーク１００を介し、移動端末１０から送信された電子メールを受信する。そして、移動端末１０のユーザ等は、端末２０が受信した電子メールの内容から、移動端末１０の位置を確認する。
【００３９】
このように、上述した紛失通知処理により、移動端末１０は、移動端末１０自身が「紛失」状態であると判別した場合、バッテリが切れる前に、移動端末１０の位置を通知する旨の電子メールを端末２０に送信する。つまり、移動端末１０は、自動的に移動端末１０の紛失場所である位置を通知する。
この結果、移動端末１０を紛失した場合、移動端末１０から送信される電子メールの内容から紛失場所を特定することができるため、紛失した移動端末１０を効率よく探し出すことができる。
【００４０】
この発明は上記実施の形態に限定されず、種々の変形及び応用が可能である。例えば、上記実施の形態においては、上述の紛失通知処理にて、制御部１５は、時間の計測を開始し（ステップＳ１１）、計測を開始した時間が所定時間（振動検出時間）まで到達したか否かを判別した（ステップＳ１３）。しかしながら、この時間の計測は、例えば、振動検出部１４が実行してもよい。
この場合、振動検出部１４は、制御部１５に振動の検出を指示されると、振動の検出を開始すると同時に、時間の計測を開始する。振動検出部１４は、計測を開始した時間が所定時間（振動検出時間）まで到達すると、その旨を制御部１５に通知する。
【００４１】
また、上記実施の形態においては、上述の紛失通知処理にて、制御部１５は、振動検出部１４から移動端末１０の振動の検出が通知されたか否かを判別し（ステップＳ１２）、そして、振動の検出が通知されなかった場合に、所定時間（振動検出時間）経過したか否かを判別した（ステップＳ１３）。
しかしながら、制御部１５は、例えば、所定時間（振動検出時間）経過後に、振動検出部１４から振動の検出が通知されたか否かを判別してもよい。また、例えば、所定時間（振動検出時間）経過後に、振動検出部１４は、所定時間（振動検出時間）中における振動の検出の有無を、制御部１５に通知してもよい。
【００４２】
上記実施の形態においては、移動端末１０は、バッテリが、メインバッテリから補助バッテリに切り換えられた時点を契機として、上述の紛失通知処理を実行した。しかしながら、紛失通知処理を実行するタイミングは任意である。
例えば、バッテリが補助バッテリに切り換えられ、紛失通知処理を実行することのできる所定の限界値まで補助バッテリの電圧レベルが低下した場合に、紛失通知処理を実行してもよい。また、例えば、移動端末１０が補助バッテリを持たない場合も同様に、紛失通知処理を実行することのできる所定の限界値までバッテリの電圧レベルが低下した場合に、紛失通知処理を実行してもよい。
【００４３】
上記実施の形態においては、移動端末１０は、端末識別名称と、位置情報と、紛失通知メッセージ（テンプレート）とを合成して図４に例示する電子メールを作成し、端末２０に送信した。しかしながら、作成される電子メールの内容等は任意に変更可能である。
例えば、作成される電子メールの内容は、移動端末１０のユーザ等により自由に設定され、送信時間等の情報が含まれてもよい。
【００４４】
更に、端末２０は、移動端末１０から送信された電子メールの内容（位置情報）を利用者に分かり易く表示してもよい。
例えば、端末２０は、自己のハードディスク等に、所定の地図アプリケーションソフトウェア（以下、「地図アプリ」という）を実行可能に記憶しておく。なお、地図アプリは、予め定められた拡張子の位置情報ファイル（位置情報等が含まれているファイル）と関連付けられている。
そして、移動端末１０（制御部１５）は、上述の紛失通知処理にて、予め定められた拡張子を持つ位置情報ファイル（位置情報等を含む）を電子メールに添付し（ステップＳ１５）、この電子メールを端末２０に向けて送信する（ステップＳ１６）。
【００４５】
一方、端末２０は、移動端末１０から送信され、位置情報ファイルが添付された電子メールを受信する。そして、端末２０のユーザ等は、端末２０を操作して受信した電子メールを開き、例えば、位置情報ファイルを選択する。この位置情報ファイルの選択に応答して、端末２０は、実行可能に記憶された地図アプリを起動し、添付された位置情報ファイルの内容（位置情報等）に応じた地図画像を表示する。この際、端末２０（地図アプリ）は、地図画像上に紛失場所を示すメッセージやシンボル等を合成して表示してもよい。
【００４６】
なお、記憶部１３に記憶される紛失通知設定情報の項目は、任意に変更可能である。例えば、上述した電子メールに添付される位置情報ファイルの名前を、ユーザが自由に設定できる項目を設けてもよい。
【００４７】
上記実施の形態においては、ＧＰＳ受信部１２は、複数のＧＰＳ衛星から送信される信号を受信して移動端末１０の現在位置（緯度／経度）を測定し、位置情報を生成した。しかしながら、移動端末１０の位置情報を取得する方法は任意である。
例えば、移動端末１０は、エリアを移動すると基地局等から配信される位置情報を受信して記憶部１３等に記憶しておき、記憶した最新の位置情報を、移動端末１０の現在位置を示す情報として利用してもよい。
また、移動端末１０は、最寄りの基地局等に位置情報の取得を要求して、基地局等から移動端末１０の位置情報を取得（受信）してもよい。
或いは、ＧＰＳ衛星から送信される信号と、基地局等から送信される電波と、ネットワーク上にある所定のサーバとを連携させてより精度の高い位置情報を測定し、移動端末１０の現在位置を示す位置情報を生成してもよい。
【００４８】
上記実施の形態においては、移動端末１０は、移動端末１０の位置を通知する旨の電子メールを、端末２０に直接送信した。しかしながら、移動端末１０が、端末２０に移動端末１０の位置を通知するまでの方法は任意である。例えば、移動端末１０は、移動端末１０の位置（緯度／経度）を通知する旨の電子メールを、ネットワーク上にある所定のサーバ等に送信してもよい。
この場合、移動端末１０から電子メールを受信したサーバ等は、端末２０に移動端末１０の位置を通知する旨の電子メールを送信してもよい。この際、サーバ等は、例えば、受信した電子メールの情報（緯度／経度）から、上述の位置情報ファイルを電子メールに添付して、端末２０に送信してもよい。
【００４９】
なお、端末２０を持たない（電子メールアドレスを持たない）移動端末１０のユーザには、端末２０に電子メールを送信することができない。このため、所定のサーバ等が移動端末１０からの電子メールを受信し、端末２０を持たないユーザに、移動端末１０の位置を電話等により通知するようにしてもよい。
【００５０】
上記実施の形態においては、移動端末１０は、移動端末１０の位置を通知する旨の電子メールを端末２０に送信した。しかしながら、移動端末１０が、端末２０に移動端末１０の位置を通知する手段は、電子メールに限らず任意である。
【００５１】
【発明の効果】
以上説明したように、本発明によれば、自動的に紛失場所である位置を通知する移動端末を提供することができる。
【図面の簡単な説明】
【図１】本発明の実施の形態に係る移動端末を含むシステムの構成の一例を示すブロック図である。
【図２】記憶部に記憶される紛失通知設定情報の一例を示す模式図である。
【図３】本発明の実施の形態に係る紛失通知処理を説明するためのフローチャートである。
【図４】
移動端末が作成する電子メールの一例を示す模式図である。
【符号の説明】
１０　　移動端末
１１　　送受信部
１２　　ＧＰＳ受信部
１３　　記憶部
１４　　振動検出部
１５　　制御部
２０　　端末
１００　通信ネットワーク
【図１】
2004023573.tif 000003
【図２】
2004023573.tif 000004
【図３】
2004023573.tif 000005
【図４】
2004023573.tif 000006